(57)【特許請求の範囲】
【請求項１】
円形をなすシート部と、
前記シート部内に設けられており、前記シート部の直径を４等分した１つ目と２つ目の境界線付近の前記シート部の円周側に一端部の先端が配置され、他端部の先端が前記一端部の先端よりも前記シート部の中央側の前記シート部の直径上に配置され、前記一端部は第１の円弧を備え、前記他端部は前記第１の円弧の半径より大きい半径を持つ第２の円弧を備える開口部と、
を有することを特徴とする上蓋。
【請求項２】
前記第２の円弧の中心角は１８０°であり、前記第１の円弧と前記第２の円弧を接続する線分は、前記第２の円弧の直径を一辺とする正三角形の一部である請求項１に記載の上蓋。
【発明の詳細な説明】
【技術分野】
【０００１】
本発明は蓋体に関する。
【背景技術】
【０００２】
コーヒー瓶やクリーム瓶等を密閉するシールが知られている。内容物を利用する際にはシールを破って利用する。ところがシールを全部剥がすと、内容物が空気と広く接するため、品質の劣化が進むことになる。このため、瓶口の内側に小さな"窓"を予め開けておき、その上から"窓"を密封するシールを設けることが知られている。
【先行技術文献】
【特許文献】
【０００３】
【特許文献１】特開２００６−２１８０９号公報
【発明の概要】
【発明が解決しようとする課題】
【０００４】
前述した文献の図面では、開ける窓の位置を瓶の枠近傍に配置している。しかしながら、この位置ではユーザーが希望した量よりも多くの量が排出されてしまうという問題がある。
１つの側面では、本発明は、ユーザーが希望する量の内容物の排出を目的とする。
【課題を解決するための手段】
【０００５】
上記目的を達成するために、開示の上蓋が提供される。この上蓋は、円形をなすシート部と、このシート部内に設けられており、シート部の直径を４等分した１つ目と２つ目の境界線付近に一端部の先端が配置され、他端部の先端がシート部の直径上に配置されるカムシャフト状の開口部とを有している。
【発明の効果】
【０００６】
１態様では、ユーザー希望する量の内容物の排出ができる。
【図面の簡単な説明】
【０００７】
【図１】実施の形態の蓋付き容器を示す図である。
【図２】シールを剥がしたときの図である。
【図３】開口部の位置を説明する図である。
【図４】開口部の形状を説明する図である。
【図５】実施の形態の開口部の作成方法を説明する図である。
【図６】実施の形態の開口部の作成方法を説明する図である。
【図７】実施の形態の開口部の作成方法を説明する図である。
【図８】実施の形態の開口部の作成方法を説明する図である。
【発明を実施するための形態】
【０００８】
以下、実施の形態の蓋付き容器を、図面を参照して詳細に説明する。
＜実施の形態＞
図１は、実施の形態の蓋付き容器を示す図である。
実施の形態の蓋付き容器１００は、外蓋１と、有底の容器２と、容器２の開口部２１を覆う上蓋（内蓋）３と、シール４とを備えている。
この容器２には本実施の形態では、コーヒー豆の抽出液を乾燥させて粉末状に加工した所謂インスタントコーヒーが詰められている。
なお、容器２の内容物はインスタントコーヒーに限定されず、他にも塩や砂糖等の粒状物、粉状物（粉末）等が挙げられる。
開口部２１および上蓋３の形状は円である。なお、本実施の形態では容器２の形状を円筒としたが、容器の形状はこれに限定されない。
上蓋３は、シート部３１および後述する開口部を備えている。シート４はこの開口部を覆っている。
【０００９】
シート部３１およびシール４は、アルミニウム蒸着フィルムで形成されている。なお、上蓋３およびシール４の材料は前述したものに限定されず、他にも透明蒸着フィルム等の、酸素遮断性、防湿性を備えるものが挙げられる。また、シート部３１とシール４の材料は異なっていてもよい。
容器２からインスタントコーヒーの粒（以下、単に「コーヒー粒」という）を取り出す場合には、ユーザーはシール４をシート部３１から剥がす。
図２は、シールを剥がしたときの図である。
シート部３１内には、断面が卵型のような（正確には卵型とは異なる）カムシャフト状の開口部３２が設けられている。
図３は、開口部の位置を説明する図である。
上蓋３の円の中心を通る仮想的に配置した中心線Ｌ１の長さは、一例として約５４ｍｍである。
開口部３２は、中心線Ｌ１を対称の軸として線対称に配置されている。
図４は、開口部の形状を説明する図である。
開口部３２の先端（一端部の先端）３２ａは、中心線Ｌ１を４等分した１つ目と２つ目の境界線を示す線分Ｌ２と、中心線Ｌ１との交点ｏ１に配置されている。
なお、先端３２ａの位置は交点ｏ１に重なるのが好ましいが、若干ずれていてもよい。
【００１０】
開口部３２の先端３２ａを含む先端部３２１は、直径４ｍｍの円の中心角１２０°の弧を備えている。図４では仮想的に円の中心ｏ２を図示している。また、開口部３２の基端（他端部の先端）３２ｂは、中心線Ｌ１上に配置されている。
基端３２ｂを含む基端部３２２は、直径９ｍｍの円の中心角１８０°の弧を備えている。図４では仮想的に円の中心ｏ３を図示している。
【００１１】
また、基端部３２２の円弧の端部３２ｃ、３２ｄ間に仮想的に配置した線分Ｌ３（長さ９ｍｍ）と直線部３２ｅおよび直線部３２ｆのなす角度は、それぞれ６０°である。
なお、前述した２つの円の直径や直線部３２ｅ、３２ｆの大きさは、上蓋の大きさに応じて（例えば上蓋の大きさに比例して）任意に調整することができる。
【００１２】
以上述べたように、実施の形態の蓋付き容器１００によれば、このような形状および配置位置の開口部３２を設けることで、ユーザーが容器２からコーヒー粒を排出し易くなる。具体的には、開口部３２の形状は、ユーザーが容器２を傾ける角度を調整することによりコーヒー粒を出す量の調節がやり易い形状となっている。
【００１３】
また、開けたばかりのときは、コーヒー粒が大きいが、使用するにつれて中の粒が互いに接触する等により砕かれる。もちろんコーヒー粒の残量も使用するに連れて少なくなってくる。従って、傾ける角度もシール４を剥がした直後とコーヒー粒が残り少なくなってきたとき等で異なるが、どの角度においてもコーヒー粒を排出する量の調節がやり易い形状となっている。
【００１４】
また、図に示す位置に開口部３２を配置することで容器１０内のコーヒー粒の残りがかなり少なくなってもシート部３１に引っかからずにコーヒー粒を開口部３２から出すことができる。
【００１５】
また、外部から容器２の内部が見えない場合も、容器２を傾けたときに開口部３２の基端部３２２を目視することで、容器２内のコーヒー粒の残量を容易に確認することができる。これにより傾ける角度を調整することができる。
【００１６】
また、図に示す位置に開口部３２を配置することで、開口部３２の下部の、シート部３１と容器２により囲まれた領域にも粒が配置される。この下部に配置されるコーヒー粒が、開口部３２から出るコーヒー粒と擦れることにより摩擦を生じる。これにより、排出量の調整が容易になり、ユーザーが意図した量よりもコーヒー粒が多量に排出されるのを抑制することができる。
＜比較例＞
以下、開口部を図２〜図４に示す形状以外にしたときの比較例を説明する。
まず、開口部が円形状のものとの比較例を説明する。
【００１７】
開口部が円形状の場合、開口部３２の形状に比べて容器を傾ける角度が大きくしないとコーヒー粒が排出されにくい。このため、傾ける角度が大きくなるので、コーヒー粒の自重により詰まったり、開口部から一斉に排出されたりする。
次に、開口部が三角形状のものとの比較例を説明する。
【００１８】
開口部が三角形状の場合、開口部の角に内容物が付着し引っかかる場合がある。特にコーヒー粒のような湿気や熱により溶けるものが付着すると、出口部分で固まり内容物が排出されにくくなる。
以下、開口部を内蓋の縁に設けたときの比較例を説明する。
【００１９】
開口部を内蓋の縁に設けた場合、容器を滑り落ちるようにコーヒー粒が開口部から排出される。従って、ユーザーが希望する量よりも多くの量が排出されてしまう場合がある等、排出量の調整が難しい
実施の形態の蓋付き容器１００では、これらの点が解決される。
【００２０】
なお、本実施の形態では開口部３２を覆うシール４を設けた場合を説明した。しかしこれに限らず、開口部３２を覆う蓋を設け、ユーザーが利用する度に蓋を開け閉めするようにしてもよい。
次に開口部３２を形成するときの一例を説明する。
図５〜図８は、実施の形態の開口部の作成方法を説明する図である。
まず、図５に示すように、中心線Ｌ１を直径とし、線分Ｌ２に接する半径４ｍｍの円Ｃ１を描画する。
【００２１】
次に、図６（ａ）に示すように、１辺が９ｍｍ（線分Ｌ３の長さと同じ）正三角形Ｔ１を用意する。そして、図６（ｂ）に示すように、正三角形Ｔ１の頂点Ｖ１を中心線Ｌ１上に配置し、２辺が円Ｃ１の接線を形成する位置に正三角形Ｔ１を配置する。
次に、図７に示すように、正三角形Ｔ１の底辺Ｔ１ａを直径とする円Ｃ２を描画する。
【００２２】
次に、図８に示すように、円Ｃ１の正三角形Ｔ１との接点までの弧（すわなち、前述した直径４ｍｍの円Ｃ１の中心角１２０°の弧）Ｃ１ａ、一端側が弧Ｃ１ａの端部であり、他端側が正三角形Ｔ１の頂点に接する線分Ｌ４、Ｌ５、および正三角形Ｔ１の頂点を端部とする弧（すわなち、前述した直径９ｍｍの円の中心角１８０°の弧）Ｃ２ａにより囲まれる図形を抽出する。これにより開口部３２が形成される。
【００２３】
以上、本発明の上蓋を、図示の実施の形態に基づいて説明したが、本発明はこれに限定されるものではなく、各部の構成は、同様の機能を有する任意の構成のものに置換することができる。また、本発明に、他の任意の構成物や工程が付加されていてもよい。
【符号の説明】
【００２４】
１  外蓋
２  容器
３  内蓋
３１  シート部
３２  開口部
３２ａ  先端
３２ｂ  基端
３２１  先端部
３２２  基端部
３２ｃ、３２ｄ  端部
３２ｅ、３２ｆ  直線部
４  シール
１００  蓋付き容器
Ｌ１  中心線
Ｌ２、Ｌ３、Ｌ４、Ｌ５  線分
ｏ１  交点
ｏ２、ｏ３  中心
【図１】
0006342943.tif 000002
【図２】
0006342943.tif 000003
【図３】
0006342943.tif 000004
【図４】
0006342943.tif 000005
【図５】
0006342943.tif 000006
【図６】
0006342943.tif 000007
【図７】
0006342943.tif 000008
【図８】
0006342943.tif 000009